(57)【要約】【課題】外光下での映像の視認性を確保しつつ、圧迫感をユーザに感じさせない映像表示を実現することができる表示制御装置、表示制御方法及び表示制御プログラムを提案する。【解決手段】本開示に係る表示制御装置は、プロジェクタから投影される映像を反射する透明スクリーンと透過率が可変な調光フィルムとを含む表示部の周囲の環境情報を取得する取得部と、環境情報に基づいて、透明スクリーンに投影される映像の画素情報と、調光フィルムの透過率とを制御する表示制御部とを備える。【選択図】図１
2020087049.tif 000002
【特許請求の範囲】
【請求項１】
プロジェクタから投影される映像を反射する透明スクリーンと透過率が可変な調光フィルムとを含む表示部の周囲の環境情報を取得する取得部と、
前記環境情報に基づいて、前記透明スクリーンに投影される映像の画素情報と、前記調光フィルムの透過率とを制御する表示制御部と
を備えた表示制御装置。
【請求項２】
前記取得部は、
前記表示部の周囲の照度を取得し、
前記表示制御部は、
前記照度に基づいて、前記透明スクリーンに投影される映像の画素情報と、前記調光フィルムの透過率とを制御する
請求項１に記載の表示制御装置。
【請求項３】
前記表示制御部は、
前記照度と、前記映像の画素情報と、前記調光フィルムの透過率とが予め対応付けられた設定情報に基づいて、当該映像の画素情報と当該調光フィルムの透過率とを制御する
請求項２に記載の表示制御装置。
【請求項４】
前記表示制御部は、
前記照度が高いほど、前記調光フィルムの透過率を下げるとともに、前記映像の画素の輝度値が高くなるよう制御する
請求項２に記載の表示制御装置。
【請求項５】
前記取得部は、
透過率が可変な調光ミラーをさらに含む表示部の周囲の環境情報を取得し、
前記表示制御部は、
前記環境情報に基づいて、前記透明スクリーンに投影される映像の画素情報と、前記調光フィルムの透過率と、前記調光ミラーの透過率との少なくともいずれかを制御する
請求項１に記載の表示制御装置。
【請求項６】
前記取得部は、
前記表示部の周囲のユーザの動作に関する情報を取得し、
前記表示制御部は、
前記ユーザの動作に関する情報に基づいて、前記透明スクリーンに投影される映像の画素情報と、前記調光フィルムの透過率とを制御する
請求項５に記載の表示制御装置。
【請求項７】
前記取得部は、
前記ユーザの動作に関する情報として、前記ユーザの頭部のトラッキング情報を取得し、
前記表示制御部は、
前記ユーザの頭部のトラッキング情報に基づいて、前記透明スクリーンに投影される映像の画素情報と、前記調光フィルムの透過率とを制御する
請求項６に記載の表示制御装置。
【請求項８】
前記取得部は、
前記表示部に正対するユーザと当該表示部との相対的な位置関係を取得し、
前記表示制御部は、
前記ユーザと前記表示部との相対的な位置関係に基づいて、前記透明スクリーンに投影される映像の画素情報と、前記調光フィルムの透過率とを制御する
請求項６に記載の表示制御装置。
【請求項９】
前記表示制御部は、
前記ユーザと表示部との相対的な位置関係において、前記ユーザが表示部に正対する位置に近付くほど、前記調光フィルムの透過率を下げるよう制御する
請求項８に記載の表示制御装置。
【請求項１０】
コンピュータが、
プロジェクタから投影される映像を反射する透明スクリーンと透過率が可変な調光フィルムとを含む表示部の周囲の環境情報を取得し、
前記環境情報に基づいて、前記透明スクリーンに投影される映像の画素情報と、前記調光フィルムの透過率とを制御する
表示制御方法。
【請求項１１】
コンピュータを、
プロジェクタから投影される映像を反射する透明スクリーンと透過率が可変な調光フィルムとを含む表示部の周囲の環境情報を取得する取得部と、
前記環境情報に基づいて、前記透明スクリーンに投影される映像の画素情報と、前記調光フィルムの透過率とを制御する表示制御部と
として機能させるための表示制御プログラム。
【発明の詳細な説明】
【技術分野】
【０００１】
本開示は、表示制御装置、表示制御方法及び表示制御プログラムに関する。詳しくは、プロジェクタを利用した映像表示の制御に関する。
【背景技術】
【０００２】
一般に、映像表示には液晶モニタ等のディスプレイが利用される。あるいは、ディスプレイに替えて、映像表示に、スクリーンや壁に映像を投影するプロジェクタを利用することもできる。プロジェクタには、例えば数センチメートルからの投影を可能とする超短焦点プロジェクタも存在し、様々な場所に投影を行うことができるため、比較的容易に運用が可能である。
【０００３】
例えば、映像表示に関する技術として、投影画像の特性を局所的に変化させる技術が知られている。
【先行技術文献】
【特許文献】
【０００４】
【特許文献１】国際公開第２０１６／０９８６００号
【発明の概要】
【発明が解決しようとする課題】
【０００５】
従来技術によれば、注目領域における輝度や解像度等の特性を変化させることで、投影画像の表現力を増大させたり、視認性を向上させたりすることができる。
【０００６】
しかしながら、従来技術では、スクリーン等の表示媒体の存在感を抑制することは困難である。プロジェクタを利用する場合、映像を投影する壁やスクリーンが必須となるため、ディスプレイの筐体ほどではないものの、映像を大画面で表示しようとするほど、壁やスクリーンの存在感は増すことになる。なお、通常は透明であり、プロジェクタから光が放射されたときのみ映像を表示する透明スクリーンのような製品も存在するが、透明であるがゆえに、環境光の強さによって映像が見にくくなる等の問題がある。
【０００７】
そこで、本開示では、外光下での映像の視認性を確保しつつ、圧迫感をユーザに感じさせない映像表示を実現することができる表示制御装置、表示制御方法及び表示制御プログラムを提案する。
【課題を解決するための手段】
【０００８】
上記の課題を解決するために、本開示に係る一形態の表示制御装置は、プロジェクタから投影される映像を反射する透明スクリーンと透過率が可変な調光フィルムとを含む表示部の周囲の環境情報を取得する取得部と、前記環境情報に基づいて、前記透明スクリーンに投影される映像の画素情報と、前記調光フィルムの透過率とを制御する表示制御部とを備える。
【図面の簡単な説明】
【０００９】
【図１】本開示の第１の実施形態に係る表示制御処理の一例を示す図である。
【図２】本開示の第１の実施形態に係る表示制御装置の設置例を示す図である。
【図３】本開示の第１の実施形態に係る表示制御装置の構成例を示す図である。
【図４】本開示の第１の実施形態に係るデータテーブルの一例を示す図である。
【図５】本開示の第１の実施形態に係る処理の流れを示すフローチャートである。
【図６】本開示の第２の実施形態に係る表示制御処理の一例を示す図である。
【図７】本開示の第２の実施形態に係る表示制御装置の設置例を示す図である。
【図８】本開示の第２の実施形態に係る表示制御装置の構成例を示す図である。
【図９】本開示の第２の実施形態に係るデータテーブルの一例を示す図である。
【図１０】本開示の第２の実施形態に係る処理の流れを示すフローチャートである。
【図１１】本開示に係る表示制御システムの構成例を示す図である。
【図１２】表示制御装置の機能を実現するコンピュータの一例を示すハードウェア構成図である。
【発明を実施するための形態】
【００１０】
以下に、本開示の実施形態について図面に基づいて詳細に説明する。なお、以下の各実施形態において、同一の部位には同一の符号を付することにより重複する説明を省略する。
【００１１】
以下に示す項目順序に従って本開示を説明する。
１．第１の実施形態
１−１．第１の実施形態に係る表示制御処理の一例
１−２．第１の実施形態に係る表示制御装置の構成例
１−３．第１の実施形態に係る表示制御処理の手順
１−４．第１の実施形態に係る変形例
２．第２の実施形態
２−１．第２の実施形態に係る表示制御処理の一例
２−２．第２の実施形態に係る表示制御装置の構成例
２−３．第２の実施形態に係る表示制御処理の手順
２−４．第２の実施形態に係る変形例
３．その他の実施形態
３−１．本開示に係る表示制御システムの一例
３−２．その他
４．本開示に係る表示制御装置の効果
５．ハードウェア構成
【００１２】
（１．第１の実施形態）
［１−１．第１の実施形態に係る表示制御処理の一例］
本開示では、外光下での映像の視認性を確保しつつ、圧迫感をユーザに感じさせない映像表示を可能とする表示制御装置１００について説明する。
【００１３】
一般に、映像を表示するための装置（表示媒体）に対しては、大画面化へのニーズが存在する。映像表示には、例えばＬＣＤ（Liquid  Crystal  Display）やＯＬＥＤ（Organic  Light  Emitting  Diode）等の方式が採用されたディスプレイが利用される。しかし、ＬＣＤやＯＬＥＤ方式のディスプレイで大画面化を実現しようとすると、全体の筐体が大きくなり、かつ、重くなる。このことは、ユーザに圧迫感を感じさせる要因となりうる。
【００１４】
圧迫感をユーザに感じさせない映像表示を可能とするための一案として、透明ディスプレイが挙げられる。透明ディスプレイは、例えば、ＬＣＤやＯＬＥＤ等、既知の方式でも実現が可能である。しかし、ＬＣＤやＯＬＥＤ方式では、構造上、発光部周辺の半導体回路が光を遮ることは回避できず、透明度（透過率）を上げることが困難である。また、ＬＣＤやＯＬＥＤ方式のディスプレイは、固定画素であるため、画面の大きさや解像度が固定されるという問題もある。さらに、ＬＣＤやＯＬＥＤ方式のディスプレイは、生産設備等の面で大画面化に限界がある。
【００１５】
上記の点に鑑みて、透明ディスプレイに替えて、プロジェクタとスクリーンとを組み合わせて映像を表示する案が挙げられる。例えば、超短焦点プロジェクタをスクリーンの直下に設置するような簡易な構成で、ＬＣＤやＯＬＥＤ方式のディスプレイよりも大型の映像を表示することが可能となる。また、プロジェクタには、投影する画像の大きさや解像度を柔軟に設定することができるという利点もある。しかしながら、かかる構成であっても、投影するためのスクリーンや白系の壁等の構成は必須であるため、やはり、ユーザが映像を視聴しない状態では、スクリーンや壁等の表示媒体の存在感を与えることになる。
【００１６】
ところで、プロジェクタが投影を行うスクリーンの一例として、透明スクリーンが存在する。透明スクリーンは、例えば、光を拡散する物質を透過率の高い物質で挟みこむように構成される。透明スクリーンは、通常は透明であるが、映像等の投影を受けた際にはある特定の角度で光を反射することにより、投影された映像をスクリーン上に表示することができる。透明スクリーンによれば、映像を投影していない場合には存在感を感じさせにくいため、スクリーン設置によるユーザへの圧迫感を和らげることができる。
【００１７】
しかしながら、透過率の高い透明スクリーンは、外光等の環境光の影響を受けやすい。このため、上記の構成では、暗い室内等で映像を表示することが可能であっても、外光下では映像の視認性が極めて低下するおそれがある。一方、環境光の影響を防止しようとしてスクリーン表面にブラック塗装等を施すと、スクリーンの透過率を低下させてしまう。
【００１８】
以上のように、映像表示において、外光下での映像の視認性を確保しつつ、圧迫感をユーザに感じさせない映像表示を可能にするためには、種々の課題が存在する。本開示に係る表示制御装置１００は、以下で説明する構成及び表示制御処理により、上記課題を解決する。以下、図１及び図２を用いて、本開示に係る表示制御装置１００の構成及び表示制御処理の一例を説明する。
【００１９】
図１は、本開示の第１の実施形態に係る表示制御処理の一例を示す図である。本開示の第１の実施形態に係る表示制御処理は、図１に示す表示制御装置１００によって実行される。
【００２０】
第１の実施形態では、表示制御装置１００は、映像を投影する機能を有するプロジェクタ１０、及び、プロジェクタ１０から投影される映像を表示する表示部１５０を構成要素として含む。表示制御装置１００は、プロジェクタ１０の映像の投影、及び、表示部１５０の表示態様を制御する情報処理装置である。
【００２１】
図１での図示は省略するが、第１の実施形態では、表示制御装置１００は、例えばプロジェクタ１０もしくは表示部１５０の内部に組み込まれるマイクロチップ（microchip)のような態様で実現される。すなわち、図１の例では説明をわかりやすくするため、表示部１５０やプロジェクタ１０を個々の装置として記載しているが、表示制御装置１００は、表示部１５０やプロジェクタ１０が一体となった一筐体として構成されてもよい。
【００２２】
なお、表示制御装置１００は、プロジェクタ１０や表示部１５０を有線又は無線で制御することが可能であれば、どのような態様であってもよい。例えば、表示制御装置１００は、スマートフォンやタブレット端末等であってもよい。この場合、本開示に係る表示制御処理は、スマートフォンやタブレット端末等にインストールされるアプリケーションの一機能として実現されてもよい。
【００２３】
プロジェクタ１０は、映像データ等を投影する装置である。第１の実施形態では、プロジェクタ１０は、いわゆる超短焦点プロジェクタと称されるものであり、数センチメートルから数１０センチメートル先の媒体に映像を投影可能である。
【００２４】
なお、図１の例では、プロジェクタ１０と表示部１５０とは空間的に分離して描かれているが、プロジェクタ１０は、表示部１５０と一体であってもよい。例えば、プロジェクタ１０は、表示部１５０の下部や上部のベゼル部（縁）に埋め込まれていてもよい。
【００２５】
表示部１５０は、調光フィルム２０と、透明スクリーン３０とを含む。例えば、表示部１５０は、調光フィルム２０と透明スクリーン３０とを貼り合わせることによって構成される。
【００２６】
調光フィルム２０は、電圧もしくは電流制御により、透過率が可変するフィルムである。例えば、調光フィルム２０は、エレクトロクロミック素子を透明電極で挟むことによって構成されるフィルムであり、エレクトロクロミック方式の調光機能を有する。エレクトロクロミック方式では、透明電極に印加する電圧に応じて、エレクトロクロミック素子に酸化反応又は還元反応が生じることで、フィルムの透過率が制御される。なお、調光フィルム２０には、ＳＰＤ（Suspended  Particle  Device）方式やガスクロミック方式等が採用されてもよい。
【００２７】
すなわち、調光フィルム２０は、電子的な制御により、透過率を自在に変化させることができる。例えば、第１の実施形態では、調光フィルム２０は、透過率を最大にした場合には透明（遮光率が最低）となり、透過率を最低にした場合には黒色（遮光率が最大）となるものとする。
【００２８】
透明スクリーン３０は、透明な素材と光を拡散する素材とで構成されるスクリーンである。例えば、透明スクリーン３０が下方もしくは上方に設置されたプロジェクタ１０から投影される光を受けた場合、透明な素材部では光を透過し、光を拡散する素材部では光を拡散（反射）させる。具体的には、透明スクリーン３０は、プロジェクタ１０から投影される光を受けた場合、視聴面、すなわち透明スクリーン３０の正面に光を反射する。これにより、透明スクリーン３０は、透過性を保ちつつ、プロジェクタ１０から投影された映像を表示することができる。
【００２９】
上記のように、表示制御装置１００は、映像の表示面として、透明な部材から構成される表示部１５０を用いることで、ユーザに圧迫感を感じさせない映像表示を行うことができる。また、表示制御装置１００は、調光フィルム２０の透過率、及び、プロジェクタ１０が投影する映像信号の設定を制御することで、映像の視認性を向上させることができる。
【００３０】
例えば、表示制御装置１００は、表示部１５０に埋め込まれた照度センサを用いて、表示部１５０の周囲の環境光を検知する。具体的には、表示制御装置１００は、表示部１５０の周囲の照度の数値等（以下、「環境情報」と総称する）を検知する。
【００３１】
そして、表示制御装置１００は、表示部１５０付近で外光等の極めて強い照度が観測される場合、調光フィルム２０が遮光状態になるよう制御する。図１の例では、調光フィルム２０が遮光状態である場合、調光フィルム２０は黒色となるため、表示部１５０は、ブラックスクリーン状態となる。表示部１５０がブラックスクリーンの状態であれば、プロジェクタ１０から投影される映像は、透過率が高い状態と比較して鮮明に表示される。すなわち、表示制御装置１００は、映像の視認性を向上させることができる。
【００３２】
一方、表示制御装置１００は、表示部１５０付近で外光等の極めて強い照度が観測されない場合、調光フィルム２０が透過状態になるよう制御する。図１の例では、調光フィルム２０が透過状態である場合、調光フィルム２０は透明となるため、表示部１５０は、透明スクリーン状態となる。表示部１５０が透明スクリーンの状態であれば、プロジェクタ１０から投影される映像は、透明な部材上に映像が表示される。このため、表示制御装置１００は、空間上に映像が表示されるような新鮮な映像体験をユーザに提供することができる。また、透明スクリーン状態では、ブラックスクリーン状態と比較して、表示部１５０の存在感を比較的ユーザに感じさせないようにすることができる。
【００３３】
次に、図２を用いて、表示制御装置１００の設置例を説明する。図２は、本開示の第１の実施形態に係る表示制御装置１００の設置例を示す図である。
【００３４】
図２に示すように、表示制御装置１００は、例えば住宅の窓ガラスとして設置される。図２の例において、表示制御装置１００（より詳しくは、表示制御装置１００に係る表示部１５０）は、窓ガラス全体であってもよいし、窓ガラスの一部であってもよい。また、表示制御装置１００に係るプロジェクタ１０は、例えば窓ガラスの上部に設置される。なお、プロジェクタ１０は、例えば床面に設置されてもよいし、窓ガラスの淵に埋め込まれてもよい。
【００３５】
表示制御装置１００に係る表示部１５０は、映像を表示しない状態では透明であるため、部屋の内側から外部への視界を妨げない。すなわち、ユーザは、通常の窓ガラスと同じ態様で表示制御装置１００を取り扱うことができる。
【００３６】
その後、ユーザからの映像表示の操作を受け付けた場合、表示制御装置１００は、映像を表示する処理を開始する（ステップＳ１）。このとき、表示制御装置１００は、照度センサ等を用いて、表示部１５０の周囲の環境情報を取得する。そして、表示制御装置１００は、環境情報に応じて、表示部１５０の遮光状態を制御する。具体的には、表示制御装置１００は、表示部１５０が外光のように極めて強い光にさらされている場合、表示部１５０が遮光状態になるよう制御する。例えば、表示制御装置１００は、調光フィルム２０にかける電圧等を制御することで、表示部１５０を遮光状態に変化させる。
【００３７】
また、表示制御装置１００は、プロジェクタ１０から投影される映像信号についても、環境情報に応じて制御してもよい。例えば、表示制御装置１００は、表示部１５０が外光にさらされている場合、プロジェクタ１０が投影する映像信号を、より映像の輪郭が鮮明になる映像モード（例えば、「vivid（高輝度、高コントラスト、高色温度）」等と称される映像モード）に切り替える。
【００３８】
これにより、表示制御装置１００は、外光の影響下であっても、高コントラストの鮮明な映像をユーザに提供することができる。
【００３９】
なお、表示制御装置１００は、環境照度値が比較的低い場合には、表示部１５０を透過状態に保持してもよい。この場合、表示制御装置１００は、プロジェクタ１０から投影される映像信号についても、映像を自然に視聴することのできる映像モード（例えば、「Standard（標準設定）」や「film（映画館のような低輝度、低色温度）」等と称される映像モード）に切り替えてもよい。例えば、表示制御装置１００は、このような遮光状態及び映像信号の設定について予めデータベースに保持しておき、データベースを参照して、遮光状態や映像信号を制御する。また、表示制御装置１００は、遮光状態及び映像信号の設定について、ユーザが所望する数値や状態の設定を予め受け付けておいてもよい。
【００４０】
すなわち、表示制御装置１００は、環境によっては、表示部１５０の透過性を保持したまま、映像を表示することもできる。これにより、表示制御装置１００は、外の風景と映像が混ざり合ったような、新鮮な映像体験をユーザに提供することができる。
【００４１】
上記のように、表示制御装置１００は、環境情報に基づいて、表示部１５０に係る透明スクリーン３０に投影される映像の画素情報と、表示部１５０に係る調光フィルム２０の透過率とを制御する。具体的には、表示制御装置１００は、周囲の照度に応じて表示部１５０の透過率を調整するとともに、映像信号の設定を切り替える。これにより、表示制御装置１００は、窓ガラスとしての機能性を保持しつつ、表示する映像のバランスを取ることができる。例えば、表示制御装置１００によれば、ユーザは、大型ディスプレイ等の筐体を部屋に設置せずとも、大画面で鮮明な映像を楽しむことができる。また、ユーザは、スクリーン等を新たに設置しなくても、住宅設備上不可欠な窓ガラス等を映像表示に利用できるので、スペースを有効に活用することができる。以上のように、表示制御装置１００は、外光下での映像の視認性を確保しつつ、圧迫感をユーザに感じさせない映像表示を実現することができる。
【００４２】
また、表示制御装置１００は、プロジェクタ１０によって映像を投影することから、画像の大きさや映像を投影する場所を柔軟に変更することができる。図２の例では、窓ガラス（表示部１５０）の一部に映像が投影される例を示しているが、表示制御装置１００は、窓ガラス全体に映像を表示してもよい。また、表示制御装置１００は、映像が投影された領域のみを遮光する等、投影位置に合わせて、映像の視認性を向上させるための処理を行ってもよい。
【００４３】
また、表示制御装置１００は、照度センサに基づいて、太陽の直射箇所や照り返しの強い位置等、映像鑑賞の妨げになると想定される位置を特定し、特定した位置を避けて映像を投影してもよい。あるいは、表示制御装置１００は、強い光が観測される高輝度点の位置を特定し、ユーザがその位置を視認しなくてもすむ位置に映像を投影するよう制御してもよい。
【００４４】
以下、第１の実施形態に係る表示制御装置１００等の構成について、図３以下を用いて説明する。
【００４５】
［１−２．第１の実施形態に係る表示制御装置の構成例］
図３を用いて、表示制御装置１００の構成について説明する。図３は、本開示の実施形態に係る表示制御装置１００の構成例を示す図である。図３に示すように、表示制御装置１００は、通信部１１０と、記憶部１２０と、制御部１３０と、センサ１４０と、表示部１５０と、出力部１６０とを有する。
【００４６】
なお、図３に示した構成は機能的な構成であり、ハードウェア構成はこれとは異なっていてもよい。また、表示制御装置１００の機能は、複数の物理的に分離された装置に分散して実装されてもよい。例えば、表示制御装置１００は、表示媒体である表示部１５０と、プロジェクタ１０と、表示部１５０及びプロジェクタ１０を制御する制御装置とに分離されてもよい。
【００４７】
通信部１１０は、例えば、ＮＩＣ（Network  Interface  Card）等によって実現される。通信部１１０は、ＵＳＢ（Universal  Serial  Bus）ホストコントローラ、ＵＳＢポート等により構成されるＵＳＢインターフェイスであってもよい。また、通信部１１０は、プロジェクタ１０に投影される映像ファイルの入力を受け付けるためのＨＤＭＩ（High-Definition  Multimedia  Interface）（登録商標）インターフェイス等であってもよい。また、通信部１１０は、有線インターフェイスであってもよいし、無線インターフェイスであってもよい。例えば、通信部１１０は、無線ＬＡＮ方式やセルラー通信方式の無線通信インターフェイスであってもよい。通信部１１０は、表示制御装置１００の通信手段或いは送信手段として機能する。例えば、通信部１１０は、ネットワークＮ（インターネット等）と有線又は無線で接続され、ネットワークＮを介して、他の情報処理端末等との間で情報の送受信を行う。例えば、通信部１１０は、ネットワークＮを介して、ユーザからの操作や各種情報の入力を受け付けてもよい。
【００４８】
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。記憶部１２０は、各種データを記憶する。
【００４９】
例えば、記憶部１２０は、環境情報に応じてどのように透過率や映像を制御するかという情報が設定されたデータテーブルＤＢ０１を記憶する。
【００５０】
図４に、第１の実施形態に係るデータテーブルＤＢ０１の一例を示す。図４は、本開示の第１の実施形態に係るデータテーブルＤＢ０１の一例を示す図である。図４に示した例では、データテーブルＤＢ０１は、「設定ＩＤ」、「環境照度値」、「調光フィルム」、「映像信号調整」といった項目を有する。
【００５１】
「設定ＩＤ」は、設定情報を識別する識別情報を示す。「環境照度値」は、表示制御装置１００に検知された環境情報のうち、照度値を示す。なお、図４の例では、環境照度値の項目に「高」、「中」、「低」等の相対的な情報が記憶される例を示しているが、環境照度値の項目には、具体的な数値が記憶されてもよい。例えば、境照度値の項目「高」は、昼間の外光に対応する数値である。また、境照度値の項目「中」は、例えば、早朝や夕方の外光に対応する数値である。また、境照度値の項目「低」は、例えば、夜間の外光に対応する数値である。
【００５２】
「調光フィルム」は、調光フィルム２０の透過状態を示す。図４の例では、調光フィルムの項目に「遮光」、「半透過」、「透過」等の相対的な情報が記憶される例を示しているが、調光フィルムの項目には、具体的な数値（透過率）が記憶されてもよい。
【００５３】
「映像信号調整」は、プロジェクタ１０から投影される映像信号の設定情報を示す。図４の例では、映像信号調整の項目に「vivid」、「Standard」、「Film」等の映像モード名称が記憶される例を示しているが、映像信号調整の項目には、輝度やコントラスト、色温度等の具体的な数値（画素情報）が記憶されてもよい。
【００５４】
すなわち、図４に示した例では、設定ＩＤが「Ａ０１」で識別される設定情報の一例として、環境照度値が「高」である場合、調光フィルムは「遮光」に制御され、映像信号は「vivid」という映像モードに調整されることを示している。
【００５５】
図３に戻って説明を続ける。制御部１３０は、例えば、ＣＰＵ（Central  Processing  Unit）やＭＰＵ（Micro  Processing  Unit）、ＧＰＵ（Graphics  Processing  Unit）等によって、表示制御装置１００内部に記憶されたプログラム（例えば、本開示に係る表示制御プログラム）がＲＡＭ（Random  Access  Memory）等を作業領域として実行されることにより実現される。また、制御部１３０は、コントローラ（controller）であり、例えば、ＡＳＩＣ（Application  Specific  Integrated  Circuit）やＦＰＧＡ（Field  Programmable  Gate  Array）等の集積回路により実現されてもよい。
【００５６】
図３に示すように、制御部１３０は、検知部１３１と、取得部１３２と、表示制御部１３３とを有し、以下に説明する情報処理の機能や作用を実現または実行する。なお、制御部１３０の内部構成は、図３に示した構成に限られず、後述する情報処理を行う構成であれば他の構成であってもよい。
【００５７】
検知部１３１は、センサ１４０を制御することにより、各種情報を検知する。例えば、検知部１３１は、表示制御装置１００や表示部１５０の周囲の環境を示す環境情報を検知する。
【００５８】
センサ１４０は、表示制御装置１００に関する各種情報を検知するデバイスである。例えば、センサ１４０は、照度センサ１４１やデプスセンサ（Depth  sensor）１４２を含む。
【００５９】
照度センサ１４１は、環境光センサ等とも称され、フォトトランジスタやフォトダイオード等を利用して、周囲の照度を検知するデバイスである。
【００６０】
デプスセンサ１４２は、対象物体までの距離を検知し、その距離に基づいて対象物体の形状を推定したり、対象物体の動きを検知したりするデバイスである。デプスセンサ１４２は、ＴｏＦ（Time  of  Flight）方式やステレオカメラ方式、ＳＬ（Structured-Light）方式、赤外線方式等、いずれの方式であってもよい。例えば、デプスセンサ１４２は、映像を視聴するユーザまでの距離や、ユーザの動き等の情報を検知する。
【００６１】
なお、図３で示したセンサ１４０は一例であり、表示制御装置１００は、環境情報を示す数値（例えば、温度、湿度、高度等）を検知するための種々のセンサを備えてもよい。また、センサ１４０には、ユーザの動作に関する情報のうち、ユーザの視線の方向や視線の動きをトラッキングするためのセンサが含まれてもよい。
【００６２】
取得部１３２は、各種情報を取得する。例えば、取得部１３２は、検知部１３１によって取得された環境情報を取得する。具体的には、取得部１３２は、プロジェクタ１０から投影される映像を反射する透明スクリーン３０と、透過率が可変な調光フィルム２０とを含む表示部１５０の周囲の環境情報を取得する。
【００６３】
例えば、取得部１３２は、表示部１５０近傍に備えられる照度センサ１４１により検知された、表示部１５０の周囲の照度を取得する。
【００６４】
また、取得部１３２は、デプスセンサ１４２により検知された、表示部１５０の周囲のユーザの動作に関する情報を取得する。なお、表示部１５０の周囲のユーザとは、例えば、デプスセンサ１４２により測距等が可能なユーザをいう。
【００６５】
取得部１３２は、取得した情報を、適宜、記憶部１２０に格納する。また、取得部１３２は、記憶部１２０内から、適宜、処理に要する情報を取得してもよい。また、取得部１３２は、ネットワークＮを介して、種々の外部装置から情報を取得してもよい。
【００６６】
表示制御部１３３は、環境情報に基づいて、透明スクリーン３０に投影される映像の画素情報と、調光フィルム２０の透過率とを制御する。
【００６７】
例えば、表示制御部１３３は、データテーブルＤＢ０１を参照し、環境情報の一例である照度と、映像の画素情報と、調光フィルムの透過率とが予め対応付けられた設定情報に基づいて、映像の画素情報と調光フィルムの透過率とを制御する。
【００６８】
一例として、表示制御部１３３は、照度が高いほど、調光フィルムの透過率を下げるとともに、映像の画素の輝度値が高くなるよう制御する。これにより、表示制御部１３３は、外光など照度の高い状況下においても、鮮明な映像を表示することができる。図３に示すように、表示制御部１３３は、調光部１３４と、信号制御部１３５とを有し、調光部１３４と信号制御部１３５とを制御することで、上記の処理を実行する。
【００６９】
調光部１３４は、調光フィルムの透過率を制御する。例えば、調光部１３４は、表示部１５０の周囲の照度に応じて、調光フィルムの透過率を制御する。具体的には、調光部１３４は、データテーブルＤＢ０１を参照して、調光フィルム２０の透過率が照度に応じた設定値となるよう、調光フィルム２０に与える電圧もしくは電流値を制御する。
【００７０】
信号制御部１３５は、いわゆるビデオプロセッサであり、透明スクリーン３０に投影される映像の画素情報を制御する。例えば、信号制御部１３５は、表示部１５０の周囲の照度に応じて、透明スクリーン３０に投影される映像の画素情報を制御する。具体的には、信号制御部１３５は、データテーブルＤＢ０１を参照して、照度に応じた画素情報となるよう映像信号の出力値を制御する。例えば、信号制御部１３５は、映像信号における輝度やコントラスト、色温度等が照度に応じた設定値となるよう、映像信号の出力値を制御する。
【００７１】
表示部１５０は、プロジェクタ１０から投影された映像を表示する表示媒体である。図３に示すように、表示部１５０は、調光フィルム２０及び透明スクリーン３０を含む。
【００７２】
出力部１６０は、各種情報を出力するためのデバイスである。図３に示すように、出力部１６０は、プロジェクタ１０及びスピーカ６０を含む。プロジェクタ１０は、表示制御部１３３によって設定された映像信号に基づいて、映像信号を表示部１５０に投影する。スピーカ６０は、取得部１３２によって取得された映像ファイルや、記憶部１２０内に記憶された映像ファイルのうち、音声信号を出力する。
【００７３】
［１−３．第１の実施形態に係る表示制御処理の手順］
次に、図５を用いて、第１の実施形態に係る情報処理の手順について説明する。図５は、本開示の第１の実施形態に係る処理の流れを示すフローチャートである。
【００７４】
図５に示すように、表示制御装置１００は、環境情報を取得したか否かを判定する（ステップＳ１０１）。環境情報を取得していない場合（ステップＳ１０１；Ｎｏ）、表示制御装置１００は、センサ１４０を制御し、環境情報を取得するための処理を繰り返す。
【００７５】
環境情報を取得した場合（ステップＳ１０１；Ｙｅｓ）、表示制御装置１００は、環境情報に基づいて、調光フィルム２０の透過率を決定する（ステップＳ１０２）。
【００７６】
また、表示制御装置１００は、環境情報に基づいて、プロジェクタ１０から出力される映像信号の設定を決定する（ステップＳ１０３）。
【００７７】
続けて、表示制御装置１００は、ステップＳ１０２で決定された透過率を調光フィルム２０に設定する（ステップＳ１０４）。具体的には、表示制御装置１００は、ステップＳ１０２で決定された透過率へ調光フィルム２０を変更するためのパラメータ（電圧値等）に基づいて調光フィルム２０を制御することで、調光フィルム２０の透過率を遷移させる。
【００７８】
また、表示制御装置１００は、ステップＳ１０３で決定された映像設定でプロジェクタ１０を制御することにより、映像設定に基づいて表示部１５０に映像を投影する（ステップＳ１０５）。
【００７９】
その後、表示制御装置１００は、ユーザから映像の投影を終了する操作を受け付けたか否かを判定する（ステップＳ１０６）。ユーザから映像の投影を終了する操作を受け付けていない場合（ステップＳ１０６；Ｎｏ）、表示制御装置１００は、環境情報を取得する処理を繰り返し、環境情報に応じて適切な映像表示となるよう、透過率や映像設定の調整を継続する。一方、ユーザから映像の投影を終了する操作を受け付けた場合（ステップＳ１０６；Ｙｅｓ）、表示制御装置１００は、映像の投影を終了する。
【００８０】
［１−４．第１の実施形態に係る変形例］
第１の実施形態に係る表示制御装置１００は、プロジェクタ１０として、超短焦点プロジェクタに限らず、一般的な焦点距離を有するプロジェクタを備えてもよい。また、表示制御装置１００は、ユーザが利用するスマートフォン等の端末装置から、例えばＷｉ−Ｆｉ（登録商標）やＢｌｕｅｔｏｏｈ（登録商標）機能を利用して、調光や映像の設定操作を受け付けてもよい。
【００８１】
（２．第２の実施形態）
［２−１．第２の実施形態に係る表示制御処理の一例］
第２の実施形態に係る表示制御装置２００は、表示部２５０を有する。表示部２５０は、調光フィルム２０、透明スクリーン３０に加えて、調光ミラー４０をさらに有する。以下、第２の実施形態に係る表示制御装置２００が実行する表示制御処理について説明する。なお、第１の実施形態と重複する説明については、記載を省略する。
【００８２】
図６は、本開示の第２の実施形態に係る表示制御処理の一例を示す図である。本開示の第２の実施形態に係る表示制御処理は、図２に示す表示制御装置２００によって実行される。
【００８３】
図６に示すように、第２の実施形態に係る表示部２５０は、調光フィルム２０と、透明スクリーン３０と、調光ミラー４０とを含む。例えば、表示部２５０は、調光フィルム２０と、透明スクリーン３０と、調光ミラー４０とを貼り合わせることによって構成される。
【００８４】
調光ミラー４０は、例えばエレクトロクロミック素子を透明電極で挟むことによって構成される。調光ミラー４０は、電子的な制御により、ミラー状態と透明状態とを切り替えることができる。
【００８５】
第２の実施形態に係る表示制御装置２００は、調光フィルム２０、透明スクリーン３０に加えて、調光ミラー４０の透過率を制御することにより、種々の映像表示を行うことができる。
【００８６】
例えば、表示制御装置２００は、表示部２５０の透過率を制御することで、第１の実施形態でも説明したブラックスクリーン状態及び透明スクリーン状態に加えて、ミラーを表示させつつ、スクリーンとしても運用可能な状態とすることができる。係る状態を、図６の例では、「ミラー＋スクリーン状態」として示す。ミラー＋スクリーン状態では、表示制御装置２００は、ミラー状態の表示部２５０に、さらに映像を重畳して表示することができる。
【００８７】
また、表示制御装置２００は、調光フィルム２０を透過させ、かつ、調光ミラー４０をミラー状態に制御することで、表示部２５０をミラー状態にすることもできる。これにより、表示制御装置２００は、映像を投影しない場合、表示部２５０をミラーとしてユーザに提供することができる。
【００８８】
次に、図７を用いて、表示制御装置２００の設置例を説明する。図７は、本開示の第２の実施形態に係る表示制御装置２００の設置例を示す図である。
【００８９】
図７に示すように、表示制御装置２００は、例えば化粧台ミラーとして設置される。表示制御装置２００に係るプロジェクタ１０は、例えば化粧台ミラーの下部に設置される。なお、プロジェクタ１０は、例えば床面に設置されてもよいし、化粧台ミラーの淵に埋め込まれてもよい。
【００９０】
表示制御装置２００に係る表示部２５０は、映像を表示しない状態ではミラー状態となる。すなわち、ユーザは、化粧台ミラーと同じ態様で表示制御装置２００を取り扱うことができる。
【００９１】
その後、ユーザからの映像表示の操作を受け付けた場合、表示制御装置２００は、映像を表示する処理を開始する（ステップＳ２）。このとき、表示制御装置２００は、例えば調光ミラー４０を透過させ、ミラー状態を解除する。これにより、表示部２５０は、ミラーではなく映像を表示するスクリーンとしての機能を発揮する。すなわち、ユーザは、化粧台に設置されたミラーで映像を視聴することができる。具体的には、ユーザは、自身のメイクアップの手本となるような映像コンテンツを表示制御装置２００に表示させることができる。このとき、表示制御装置２００は、第１の実施形態と同様、環境情報に応じて調光フィルム２０の透過率や映像信号を調整し、映像の視認性を向上させてもよい。
【００９２】
また、表示制御装置２００は、ユーザの操作やユーザの動作に合わせて、ミラー状態と透過状態を切り替える処理を行ってもよい。
【００９３】
例えば、図７の例において、ユーザは、予め用意したメイクアップの見本となる映像コンテンツを表示させながら、自身のメイクアップを行うものとする。この場合、ユーザは、映像コンテンツを表示させながら自身の顔をミラーに表示させたい場合、調光ミラー４０を半透過状態に設定する。これにより、ユーザは、映像コンテンツを表示させながら自身の顔をミラーでも確認することができる。
【００９４】
また、表示制御装置２００は、ユーザから操作を受け付けず、自動的にスクリーンの表示状態を変化させてもよい。例えば、表示制御装置２００は、表示部２５０の淵等に設置されたデプスセンサ１４２を利用して、ユーザの動作情報を取得する。具体的には、表示制御装置２００は、ユーザが表示部２５０に正対しているか、あるいは、斜めから表示部２５０を見ているか、などのユーザの動作や位置情報を取得する。あるいは、表示制御装置２００は、デプスセンサ１４２による追跡（トラッキング）情報に基づいて、ユーザの頭部の動き等を観測してもよい。
【００９５】
そして、表示制御装置２００は、例えばユーザが表示部２５０の真正面に位置する場合、プロジェクタ１０からの投影を一時的に停止させ、ユーザがミラーを利用できるようにさせる。また、表示制御装置２００は、例えばユーザが表示部２５０を斜めから覗き込む場合、表示部２５０を半透過にするとともに、プロジェクタ１０からの投影を開始し、映像を表示する。
【００９６】
これにより、ユーザは、自身がメイクを行う場合はミラーを利用し、ときおり、頭部を少し横に動かす等の動作を行うことで、見本の映像コンテンツを確認することができる。また、表示制御装置２００は、例えばユーザが頭部を表示部２５０に対して上部もしくは下部に移動させた場合、調光フィルム２０を完全に遮光し、かつ、プロジェクタ１０からの投影を開始してもよい。これにより、表示制御装置２００は、ユーザの特定の動作に応じて、より鮮明な映像を表示させることができる。すなわち、表示制御装置２００は、様々なユーザの動作に応じて、表示部２５０やプロジェクタ１０の設定を適宜変更することができる。
【００９７】
このように、表示制御装置２００は、環境によっては、表示部２５０の透過性を保持したまま、映像を表示することもできる。これにより、表示制御装置２００は、外の風景と映像が混ざり合ったような、新鮮な映像体験をユーザに提供することができる。
【００９８】
上記のように、表示制御装置１００は、環境情報に基づいて、表示部１５０に係る透明スクリーン３０に投影される映像の画素情報と、表示部１５０に係る調光フィルム２０の透過率と、調光ミラー４０の透過率とを制御する。また、表示制御装置２００は、周囲の照度等のみならず、ユーザの動作に応じて表示部１５０の透過率を調整してもよい。これにより、表示制御装置２００は、ミラーとしての機能性を保持しつつ、ミラーに重畳させて映像を表示するなど、利便性の高い映像表示を行うことができる。
【００９９】
以下、第２の実施形態に係る表示制御装置２００等の構成について、図８以下を用いて説明する。
【０１００】
［２−２．第２の実施形態に係る表示制御装置の構成例］
図８を用いて、表示制御装置２００の構成について説明する。図８は、本開示の実施形態に係る表示制御装置２００の構成例を示す図である。図８に示すように、表示制御装置２００は、調光ミラー４０を含む表示部２５０と、記憶部２２０とを有する点で、第１の実施形態と相違する。
【０１０１】
記憶部２２０は、第１の実施形態に係る記憶部１２０が保持する情報に加えて、ユーザの動作に応じてどのように透過率や映像を制御するかという情報が設定されたデータテーブルＤＢ０２を記憶する。
【０１０２】
図９に、第２の実施形態に係るデータテーブルＤＢ０２の一例を示す。図９は、本開示の第２の実施形態に係るデータテーブルＤＢ０２の一例を示す図である。図９に示した例では、データテーブルＤＢ０２は、「設定ＩＤ」、「ヘッドトラッキング」、「調光フィルム」、「映像信号調整」といった項目を有する。
【０１０３】
「設定ＩＤ」は、設定情報を識別する識別情報を示す。「ヘッドトラッキング」は、ユーザの動作情報のうち、ユーザの頭部のトラッキング情報を示す。例えば、ヘッドトラッキングが「完全シフト」とは、頭部の位置を捉える基準位置（例えば、デプスセンサ１４２の設置位置や、表示部２５０の真正面）から、閾値を超えて縦方向もしくは横方向に移動した（シフトした）状態を示す。また、ヘッドトラッキングが「中間位置」とは、ユーザの頭部が、頭部の位置を捉える基準位置の真正面の位置と、「完全シフト」と判定される位置との中間領域に位置している状態を示す。また、ヘッドトラッキングが「真正面」とは、ユーザの頭部が、頭部の位置を捉える基準位置の真正面にあると判定される状態を示す。
【０１０４】
「調光フィルム」は、調光フィルム２０の透過状態を示す。「映像信号調整」は、プロジェクタ１０から投影される映像信号の設定情報を示す。例えば、映像信号調整が「フル輝度」とは、プロジェクタ１０から最大輝度で映像が投影される状態を示す。また、映像信号調整が「半輝度」とは、プロジェクタ１０から半分程度の輝度で映像が投影される状態を示す。また、映像信号調整が「消灯」とは、プロジェクタ１０からの投影が一時停止される状態を示す。
【０１０５】
すなわち、図９に示した例では、設定ＩＤが「Ａ０２」で識別される設定情報の一例として、ヘッドトラッキングが「完全シフト」である場合、調光フィルムは「遮光」に制御され、映像信号は「フル輝度」に調整されることを示している。
【０１０６】
言い換えれば、ユーザが頭部を表示部２５０の正面から大きくずらすと、表示部２５０は遮光状態（図６に示すブラックスクリーン状態）に遷移する。この状態では、プロジェクタ１０の輝度がフル輝度状態になるため、ユーザは、鮮明な映像を視聴することができる。また、ユーザが頭部を表示部２５０の正面から少しずらすと、表示部２５０は半遮光状態（図６に示すミラー＋スクリーン状態）に遷移する。この状態では、プロジェクタ１０の輝度が半輝度状態になるため、ユーザは、ミラーに映る自身の姿と映像とを同時に視認することができる。この場合、表示制御装置２００は、ミラーに映る現実の映像と、映像コンテンツとをユーザに同時に提供できるので、ＡＲ（Augmented  Reality）的な体験をユーザに提供することができる。また、ユーザが頭部を表示部２５０の正面にずらすと、表示部２５０は透過状態（図６に示すミラー状態）に遷移する。この状態では、プロジェクタ１０が消灯するため、ユーザは、表示部２５０をミラーとして利用することができる。
【０１０７】
図８に戻って説明を続ける。第２の実施形態に係る取得部１３２は、照度センサ１４１等を介して、透過率が可変な調光ミラー４０をさらに含む表示部２５０の周囲の環境情報を取得する。
【０１０８】
また、取得部１３２は、ユーザの動作に関する情報として、ユーザの頭部のトラッキング情報を取得する。
【０１０９】
具体的には、取得部１３２は、ユーザの頭部のトラッキング情報として、表示部２５０に正対するユーザと表示部２５０との相対的な位置関係を取得する。例えば、取得部１３２は、デプスセンサ１４２が物体を検知可能な画角のうち、正対していると判定される角度内（例えば、プラスマイナス１０度等）にユーザが所在する場合、ユーザが表示部２５０と正対していると判定する。あるいは、取得部１３２は、デプスセンサ１４２が物体を検知可能な画角のうち、大きく外れていると判定される角度内（例えば、デプスセンサ１４２が物体を検知可能な画角の制限付近）にユーザが所在する場合、ユーザが表示部２５０とは正対せず、外れた位置に所在していると判定する。また、取得部１３２は、ユーザが表示部２５０に正対する位置と、大きく外れていると判定される位置との間にユーザが所在すること等を判定する。
【０１１０】
また、第２の実施形態に係る表示制御部１３３は、環境情報に基づいて、透明スクリーン３０に投影される映像の画素情報と、調光フィルム２０の透過率と、調光ミラー４０の透過率との少なくともいずれかを制御する。例えば、表示制御部１３３は、図６で示した例のように、調光フィルム２０と調光ミラー４０の透過率のいずれをも同時に変化させてもよいし、調光ミラー４０はミラー状態に固定し、調光フィルム２０の透過率のみを変化させてもよい。
【０１１１】
また、表示制御部１３３は、ユーザの動作に関する情報に基づいて、透明スクリーン３０に投影される映像の画素情報と調光フィルム２０の透過率とを制御してもよい。
【０１１２】
例えば、表示制御部１３３は、ユーザの頭部のトラッキング情報に基づいて、透明スクリーン３０に投影される映像の画素情報と、調光フィルム２０の透過率とを制御する。また、表示制御部１３３は、ユーザの頭部のトラッキング情報に基づいて、調光ミラー４０の透過率を制御してもよい。
【０１１３】
具体的には、表示制御部１３３は、ユーザと表示部２５０との相対的な位置関係に基づいて、透明スクリーン３０に投影される映像の画素情報と、調光フィルム２０の透過率とを制御する。
【０１１４】
一例として、表示制御部１３３は、ユーザと表示部２５０との相対的な位置関係において、ユーザが表示部２５０に正対する位置に近付くほど、調光フィルム２０の透過率を下げるよう制御してもよい。あるいは、表示制御部１３３は、ユーザと表示部２５０との相対的な位置関係において、ユーザが表示部２５０に正対する位置から遠ざかるほど、調光フィルム２０の透過率を上げるよう制御してもよい。
【０１１５】
［２−３．第２の実施形態に係る表示制御処理の手順］
次に、図１０を用いて、第２の実施形態に係る情報処理の手順について説明する。図１０は、本開示の第２の実施形態に係る処理の流れを示すフローチャートである。
【０１１６】
図１０に示すように、表示制御装置２００は、環境情報及びユーザの動作に関する情報を取得したか否かを判定する（ステップＳ２０１）。環境情報及びユーザの動作に関する情報を取得していない場合（ステップＳ２０１；Ｎｏ）、表示制御装置２００は、センサ１４０を制御し、環境情報及びユーザの動作に関する情報を取得するための処理を繰り返す。
【０１１７】
環境情報及びユーザの動作に関する情報を取得した場合（ステップＳ２０１；Ｙｅｓ）、表示制御装置２００は、環境情報及びユーザの動作に関する情報に基づいて、調光フィルム２０や調光ミラー４０の透過率を決定する（ステップＳ２０２）。
【０１１８】
また、表示制御装置２００は、環境情報及びユーザの動作に関する情報に基づいて、プロジェクタ１０から出力される映像信号の設定を決定する（ステップＳ２０３）。
【０１１９】
続けて、表示制御装置２００は、ステップＳ１０２で決定された透過率を調光フィルム２０及び調光ミラー４０に設定する（ステップＳ２０４）。具体的には、表示制御装置２００は、ステップＳ２０２で決定された透過率へ調光フィルム２０を変更するためのパラメータ（電圧値等）に基づいて調光フィルム２０を制御することで、調光フィルム２０の透過率を遷移させる。また、表示制御装置２００は、ステップＳ２０２で決定された透過率へ調光ミラー４０を変更するためのパラメータ（電圧値等）に基づいて調光ミラー４０を制御することで、調光ミラー４０の透過率を遷移させる。
【０１２０】
また、表示制御装置２００は、ステップＳ２０３で決定された映像設定でプロジェクタ１０を制御することにより、映像設定に基づいて表示部２５０に映像を投影する（ステップＳ２０５）。あるいは、表示制御装置２００は、映像設定に基づいて、プロジェクタ１０からの映像の投影を一時的にストップさせる。
【０１２１】
その後、表示制御装置２００は、ユーザから映像の投影を終了する操作を受け付けたか否かを判定する（ステップＳ２０６）。ユーザから映像の投影を終了する操作を受け付けていない場合（ステップＳ２０６；Ｎｏ）、表示制御装置２００は、環境情報及びユーザの動作に関する情報を取得する処理を繰り返し、取得した情報に応じて適切な映像表示となるよう、透過率や映像設定の調整を継続する。一方、ユーザから映像の投影を終了する操作を受け付けた場合（ステップＳ２０６；Ｙｅｓ）、表示制御装置２００は、映像の投影を終了する。例えば、表示制御装置２００は、調光フィルム２０を透過させた状態になるよう制御し、表示部２５０が通常のミラーとしての機能を発揮する状態にする。
【０１２２】
［２−４．第２の実施形態に係る変形例］
第２の実施形態に係る表示制御装置２００は、調光ミラー４０ではなく、通常のミラーを備えてもよい。かかる構成であっても、表示制御装置２００は、図６に示す透明スクリーン状態以外の状態へ表示部２５０を任意に変更することができる。
【０１２３】
（３．その他の実施形態）
上述した各実施形態に係る処理は、上記各実施形態以外にも種々の異なる形態にて実施されてよい。
【０１２４】
［３−１．本開示に係る表示制御システムの一例］
例えば、本開示に係る表示制御装置は、プロジェクタ１０や表示部１５０と分離され、分離されたプロジェクタ１０と表示部１５０とを制御する装置であってもよい。すなわち、本開示に係る表示制御装置は、プロジェクタ１０と表示部１５０とが組み合わされて構成される装置であって、スタンドアロンで動作する表示装置を制御してもよい。また、本開示に係る表示制御装置は、複数台の表示装置を制御してもよい。
【０１２５】
この場合、本開示に係る表示制御処理は、図１１に示す表示制御システム１によって実行されてもよい。図１１は、本開示に係る表示制御システム１の構成例を示す図である。図１１に示すように、表示制御システム１は、表示制御装置３００と、第１表示装置３００Ａや第２表示装置３００Ｂとを有する。なお、表示制御システム１は、さらに多くの表示装置を有していてもよい。
【０１２６】
表示制御システム１では、表示制御装置３００が、第１表示装置３００Ａや第２表示装置３００Ｂの各々の近傍に備えられた照度センサやデプスセンサに基づいて、各々の表示装置の透過率や映像信号を一括で制御する。
【０１２７】
表示制御システム１によれば、複数台の表示装置を制御することができるので、例えば表示装置が同時に同一のコンテンツを表示する複数のデジタルサイネージ等である場合に、各々の環境に合わせて最適な表示を行うことができる。
【０１２８】
［３−２．その他］
例えば、上記各実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１２９】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１３０】
また、上述してきた各実施形態及び変形例は、処理内容を矛盾させない範囲で適宜組み合わせることが可能である。
【０１３１】
また、本明細書に記載された効果はあくまで例示であって限定されるものでは無く、他の効果があってもよい。
【０１３２】
（４．本開示に係る表示制御装置の効果）
上述のように、本開示に係る表示制御装置（実施形態では表示制御装置１００等）は、取得部（実施形態では取得部１３２）と、表示制御部（実施形態では表示制御部１３３）とを有する。取得部は、プロジェクタから投影される映像を反射する透明スクリーンと透過率が可変な調光フィルムとを含む表示部（実施形態では表示部１５０等）の周囲の環境情報を取得する。表示制御部は、環境情報に基づいて、透明スクリーンに投影される映像の画素情報と、調光フィルムの透過率とを制御する。
【０１３３】
このように、本開示に係る表示制御装置は、環境情報に基づいて、映像の画素情報と調光フィルムの透過率とを制御することで、種々の環境下において、適切な映像を表示することができる。また、表示制御装置は、表示部として透明スクリーンを用いることで、ユーザへの圧迫感を抑制することができる。これにより、表示制御装置は、外光下での映像の視認性を確保しつつ、圧迫感をユーザに感じさせない映像表示を実現することができる。
【０１３４】
また、取得部は、表示部の周囲の照度を取得する。表示制御部は、照度に基づいて、透明スクリーンに投影される映像の画素情報と、調光フィルムの透過率とを制御する。これにより、表示制御装置は、映像を表示するタイミングにおける照度に応じて、適切な表示を行うことができる。
【０１３５】
また、表示制御部は、照度と、映像の画素情報と、調光フィルムの透過率とが予め対応付けられた設定情報に基づいて、映像の画素情報と調光フィルムの透過率とを制御する。これにより、表示制御装置は、プリセットされた最適な設定や、ユーザが所望する設定等に基づいて、映像の表示を制御することができる。
【０１３６】
また、表示制御部は、照度が高いほど、調光フィルムの透過率を下げるとともに、映像の画素の輝度値が高くなるよう制御する。これにより、表示制御装置は、予め設定された照度や透過率等の情報（データテーブルＤＢ０１等）がなくても、現時点の照度に応じて、適切な表示を行うことができる。
【０１３７】
また、取得部は、透過率が可変な調光ミラーをさらに含む表示部の周囲の環境情報を取得する。表示制御部は、環境情報に基づいて、透明スクリーンに投影される映像の画素情報と、調光フィルムの透過率と、調光ミラーの透過率との少なくともいずれかを制御する。これにより、表示制御装置は、ミラーに重複した映像を表示するなど、新鮮な映像体験をユーザに提供することができる。
【０１３８】
また、取得部は、表示部の周囲のユーザの動作に関する情報を取得する。表示制御部は、ユーザの動作に関する情報に基づいて、透明スクリーンに投影される映像の画素情報と、調光フィルムの透過率とを制御する。これにより、表示制御装置は、ユーザの動作に応じて、表示部を通常のミラーとして使用したり、映像スクリーンとして使用したりといった、使い分けを行うことができる。
【０１３９】
また、取得部は、ユーザの動作に関する情報として、ユーザの頭部のトラッキング情報を取得する。表示制御部は、ユーザの頭部のトラッキング情報に基づいて、透明スクリーンに投影される映像の画素情報と、調光フィルムの透過率とを制御する。これにより、表示制御装置は、ユーザに煩わしい操作を行わせずとも、ユーザの動きに合わせて映像やミラーを切り替えることができる。
【０１４０】
また、取得部は、表示部に正対するユーザと表示部との相対的な位置関係を取得する。表示制御部は、ユーザと表示部との相対的な位置関係に基づいて、透明スクリーンに投影される映像の画素情報と、調光フィルムの透過率とを制御する。これにより、表示制御装置は、ユーザが表示部からずれたときには映像を表示したり、映像と半透過のミラーとを表示させたりといった、ＡＲ的な映像表示を行うことができる。
【０１４１】
また、表示制御部は、ユーザと表示部との相対的な位置関係において、ユーザが表示部に正対する位置に近付くほど、調光フィルムの透過率を下げるよう制御する。これにより、表示制御装置は、ユーザが表示部に正対するときには表示部をミラーとして利用させることができるため、ユーザの利便性を向上させることができる。
【０１４２】
（５．ハードウェア構成）
上述してきた各実施形態に係る表示制御装置１００等の情報機器は、例えば図１２に示すような構成のコンピュータ１０００によって実現される。以下、第１の実施形態に係る表示制御装置１００を例に挙げて説明する。図１２は、表示制御装置１００の機能を実現するコンピュータ１０００の一例を示すハードウェア構成図である。コンピュータ１０００は、ＣＰＵ１１００、ＲＡＭ１２００、ＲＯＭ（Read  Only  Memory）１３００、ＨＤＤ（Hard  Disk  Drive）１４００、通信インターフェイス１５００、及び入出力インターフェイス１６００を有する。コンピュータ１０００の各部は、バス１０５０によって接続される。
【０１４３】
ＣＰＵ１１００は、ＲＯＭ１３００又はＨＤＤ１４００に格納されたプログラムに基づいて動作し、各部の制御を行う。例えば、ＣＰＵ１１００は、ＲＯＭ１３００又はＨＤＤ１４００に格納されたプログラムをＲＡＭ１２００に展開し、各種プログラムに対応した処理を実行する。
【０１４４】
ＲＯＭ１３００は、コンピュータ１０００の起動時にＣＰＵ１１００によって実行されるＢＩＯＳ（Basic  Input  Output  System）等のブートプログラムや、コンピュータ１０００のハードウェアに依存するプログラム等を格納する。
【０１４５】
ＨＤＤ１４００は、ＣＰＵ１１００によって実行されるプログラム、及び、かかるプログラムによって使用されるデータ等を非一時的に記録する、コンピュータが読み取り可能な記録媒体である。具体的には、ＨＤＤ１４００は、プログラムデータ１４５０の一例である本開示に係る表示制御プログラムを記録する記録媒体である。
【０１４６】
通信インターフェイス１５００は、コンピュータ１０００が外部ネットワーク１５５０（例えばインターネット）と接続するためのインターフェイスである。例えば、ＣＰＵ１１００は、通信インターフェイス１５００を介して、他の機器からデータを受信したり、ＣＰＵ１１００が生成したデータを他の機器へ送信したりする。
【０１４７】
入出力インターフェイス１６００は、入出力デバイス１６５０とコンピュータ１０００とを接続するためのインターフェイスである。例えば、ＣＰＵ１１００は、入出力インターフェイス１６００を介して、キーボードやマウス等の入力デバイスからデータを受信する。また、ＣＰＵ１１００は、入出力インターフェイス１６００を介して、ディスプレイやスピーカやプリンタ等の出力デバイスにデータを送信する。また、入出力インターフェイス１６００は、所定の記録媒体（メディア）に記録されたプログラム等を読み取るメディアインターフェイスとして機能してもよい。メディアとは、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１４８】
例えば、コンピュータ１０００が実施形態に係る表示制御装置１００として機能する場合、コンピュータ１０００のＣＰＵ１１００は、ＲＡＭ１２００上にロードされた表示制御プログラムを実行することにより、制御部１３０等の機能を実現する。また、ＨＤＤ１４００には、本開示に係る表示制御プログラムや、記憶部１２０内のデータが格納される。なお、ＣＰＵ１１００は、プログラムデータ１４５０をＨＤＤ１４００から読み取って実行するが、他の例として、外部ネットワーク１５５０を介して、他の装置からこれらのプログラムを取得してもよい。
【０１４９】
なお、本技術は以下のような構成も取ることができる。
（１）
プロジェクタから投影される映像を反射する透明スクリーンと透過率が可変な調光フィルムとを含む表示部の周囲の環境情報を取得する取得部と、
前記環境情報に基づいて、前記透明スクリーンに投影される映像の画素情報と、前記調光フィルムの透過率とを制御する表示制御部と
を備えた表示制御装置。
（２）
前記取得部は、
前記表示部の周囲の照度を取得し、
前記表示制御部は、
前記照度に基づいて、前記透明スクリーンに投影される映像の画素情報と、前記調光フィルムの透過率とを制御する
前記（１）に記載の表示制御装置。
（３）
前記表示制御部は、
前記照度と、前記映像の画素情報と、前記調光フィルムの透過率とが予め対応付けられた設定情報に基づいて、当該映像の画素情報と当該調光フィルムの透過率とを制御する
前記（２）に記載の表示制御装置。
（４）
前記表示制御部は、
前記照度が高いほど、前記調光フィルムの透過率を下げるとともに、前記映像の画素の輝度値が高くなるよう制御する
前記（２）又は（３）に記載の表示制御装置。
（５）
前記取得部は、
透過率が可変な調光ミラーをさらに含む表示部の周囲の環境情報を取得し、
前記表示制御部は、
前記環境情報に基づいて、前記透明スクリーンに投影される映像の画素情報と、前記調光フィルムの透過率と、前記調光ミラーの透過率との少なくともいずれかを制御する
前記（１）から（４）のいずれかに記載の表示制御装置。
（６）
前記取得部は、
前記表示部の周囲のユーザの動作に関する情報を取得し、
前記表示制御部は、
前記ユーザの動作に関する情報に基づいて、前記透明スクリーンに投影される映像の画素情報と、前記調光フィルムの透過率とを制御する
前記（５）に記載の表示制御装置。
（７）
前記取得部は、
前記ユーザの動作に関する情報として、前記ユーザの頭部のトラッキング情報を取得し、
前記表示制御部は、
前記ユーザの頭部のトラッキング情報に基づいて、前記透明スクリーンに投影される映像の画素情報と、前記調光フィルムの透過率とを制御する
前記（６）に記載の表示制御装置。
（８）
前記取得部は、
前記表示部に正対するユーザと当該表示部との相対的な位置関係を取得し、
前記表示制御部は、
前記ユーザと前記表示部との相対的な位置関係に基づいて、前記透明スクリーンに投影される映像の画素情報と、前記調光フィルムの透過率とを制御する
前記（６）又は（７）に記載の表示制御装置。
（９）
前記表示制御部は、
前記ユーザと表示部との相対的な位置関係において、前記ユーザが表示部に正対する位置に近付くほど、前記調光フィルムの透過率を下げるよう制御する
前記（８）に記載の表示制御装置。
（１０）
コンピュータが、
プロジェクタから投影される映像を反射する透明スクリーンと透過率が可変な調光フィルムとを含む表示部の周囲の環境情報を取得し、
前記環境情報に基づいて、前記透明スクリーンに投影される映像の画素情報と、前記調光フィルムの透過率とを制御する
表示制御方法。
（１１）
コンピュータを、
プロジェクタから投影される映像を反射する透明スクリーンと透過率が可変な調光フィルムとを含む表示部の周囲の環境情報を取得する取得部と、
前記環境情報に基づいて、前記透明スクリーンに投影される映像の画素情報と、前記調光フィルムの透過率とを制御する表示制御部と
として機能させるための表示制御プログラム。
【符号の説明】
【０１５０】
１０  プロジェクタ
２０  調光フィルム
３０  透明スクリーン
４０  調光ミラー
６０  スピーカ
１００、２００、３００  表示制御装置
１１０  通信部
１２０、２２０  記憶部
１３０  制御部
１３１  検知部
１３２  取得部
１３３  表示制御部
１３４  調光部
１４０  センサ
１５０、２５０  表示部
１６０  出力部
【図１】
2020087049.tif 000003
【図２】
2020087049.tif 000004
【図３】
2020087049.tif 000005
【図４】
2020087049.tif 000006
【図５】
2020087049.tif 000007
【図６】
2020087049.tif 000008
【図７】
2020087049.tif 000009
【図８】
2020087049.tif 000010
【図９】
2020087049.tif 000011
【図１０】
2020087049.tif 000012
【図１１】
2020087049.tif 000013
【図１２】
2020087049.tif 000014